【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
操作面に対するタッチ操作を検知するタッチ検知手段と、
前記タッチ検知手段によって検知されたタッチ操作に係る前記操作面に対する押圧力を検知する圧力検知手段と、
表示手段に内容表示画面として特定の項目の内容を表示している際に、前記圧力検知手段により第１の圧力を超える押圧力が検知されると、前記表示手段の表示を、複数の項目を表示する一覧画面に切り替え、その後、切替前になされたタッチが離されることなく前記タッチ検知手段によってタッチ位置を移動する操作があったことが検知されると、前記一覧画面に表示される複数の項目の少なくとも一部を切り替えるスクロール表示をするように制御する表示制御手段とを有し、
前記表示制御手段は、
前記操作面に対する前記第１の圧力を超える押圧力の検知に応じて前記一覧画面に切り替えた後、前記タッチ検知手段によりタッチ位置を移動する操作が検知されることなく前記圧力検知手段により押圧力が第２の圧力以下となったことが検知されると、前記一覧画面で表示されていた項目のうちいずれかの項目の内容を表示する内容表示画面に切り替え、
前記操作面に対する前記第１の圧力を超える押圧力の検知に応じて前記一覧画面に切り替えた後、押圧力が前記第２の圧力以下にならずに前記タッチ検知手段によりタッチ位置を移動する操作が検知された場合には、その後は前記圧力検知手段により押圧力が前記第２の圧力以下となったことが検知されても、前記内容表示画面には切り替えないように制御することを特徴とする電子機器。
【請求項２】
前記表示制御手段は、前記操作面に対する前記第１の圧力を超える押圧力の検知に応じて前記一覧画面に切り替えた後、前記タッチ検知手段によりタッチ位置を移動する操作が検知され、さらに、前記圧力検知手段により押圧力が第２の圧力以下となったことが検知された場合、前記一覧画面で表示されていた項目のうち所定の位置に表示されている項目の内容を表示する内容表示画面に切り替えるように制御することを特徴とする請求項１に記載の電子機器。
【請求項３】
前記一覧画面は、複数の項目を１列に並べて表示する画面であり、前記所定の位置は、前記１列に並んだ複数の項目の中の中央に位置する項目であることを特徴とする請求項２に記載の電子機器。
【請求項４】
前記第２の圧力は、前記第１の圧力よりも小さいことを特徴とする請求項１乃至３のいずれか１項に記載の電子機器。
【請求項５】
前記一覧画面は、複数の項目を行列に並べて表示する画面であることを特徴とする請求項１乃至４のいずれか１項に記載の電子機器。
【請求項６】
前記一覧画面は、複数の項目を１列に並べて表示する画面であることを特徴とする請求項１乃至５のいずれか１項に記載の電子機器。
【請求項７】
前記一覧画面に表示された複数の項目のうち何れかを選択するタッチ操作があったことに応じて、前記表示制御手段は、前記一覧画面から、前記タッチ操作によって選択された項目の内容を表示する画面に切り替えるように制御することを特徴とする請求項１乃至６のいずれか１項に記載の電子機器。
【請求項８】
前記表示制御手段は、前記操作面に対する前記第１の圧力を超える押圧力の検知に応じて前記一覧画面に切り替えた後、前記圧力検知手段により前記第１の圧力よりも大きい第３の圧力を超える押圧力が検知されると、前記表示手段の表示を、前記一覧画面よりも多くの項目を表示する一覧画面に切り替えるように制御することを特徴とする請求項１乃至７のいずれか１項に記載の電子機器。
【請求項９】
前記表示制御手段は、前記表示手段に特定の項目の内容を表示している際に、前記圧力検知手段により第１の圧力を超える押圧力が検知されずに、前記タッチ検知手段によって所定のタッチ操作が検知されると、前記特定の項目と異なる他の項目の内容表示画面に切り替えるように制御することを特徴とする請求項１乃至８のいずれか１項に記載の電子機器。
【請求項１０】
前記内容表示画面は、１つの項目の内容を表示する画面であることを特徴とする請求項１乃至９のいずれか１項に記載の電子機器。
【請求項１１】
前記タッチ検知手段は、前記操作面に対する複数のタッチ操作を検知可能であり、
前記表示手段に特定の項目の内容を表示している際に、前記タッチ検知手段により複数のタッチが互いに近づくことが検知された場合に、前記表示制御手段は、前記表示手段の表示を、複数の項目を表示する一覧画面に切り替えるように制御することを特徴とする請求項１乃至１０のいずれか１項に記載の電子機器。
【請求項１２】
前記表示制御手段は、前記表示手段に特定の項目の内容を表示している際に、前記圧力検知手段により前記第１の圧力を超える押圧力が検知されたことによって前記一覧画面を表示する場合、前記第１の圧力を超える押圧力が検知された際に前記タッチ検知手段によって検知されたタッチの位置に応じて、前記一覧画面に表示する複数の項目を変更するように制御することを特徴とする請求項１乃至１１のいずれか１項に記載の電子機器。
【請求項１３】
前記複数の項目はそれぞれ画像であり、前記内容表示画面は１つの画像が表示された画面であることを特徴とする請求項１乃至１２のいずれか１項に記載の電子機器。
【請求項１４】
前記複数の項目はそれぞれＷｅｂページであり、前記内容表示画面は前記Ｗｅｂページの内容が表示された画面であることを特徴とする請求項１乃至１２のいずれか１項に記載の電子機器。
【請求項１５】
前記複数の項目はそれぞれメールであり、前記内容表示画面は前記メールの内容が表示された画面であることを特徴とする請求項１乃至１２のいずれか１項に記載の電子機器。
【請求項１６】
前記操作面は、前記表示手段の表示面であることを特徴とする請求項１乃至１５のいずれか１項に記載の電子機器。
【請求項１７】
操作面に対するタッチ操作を検知するタッチ検知工程と、
前記タッチ検知工程において検知されたタッチ操作に係る前記操作面に対する押圧力を検知する圧力検知工程と、
表示手段に内容表示画面として特定の項目の内容を表示している際に、前記圧力検知工程において第１の圧力を超える押圧力が検知されると、前記表示手段の表示を、複数の項目を表示する一覧画面に切り替え、その後、切替前になされたタッチが離されることなく前記タッチ検知工程によってタッチ位置を移動する操作があったことが検知されると、前記一覧画面に表示される複数の項目の少なくとも一部を切り替えるスクロール表示をするように制御する表示制御工程とを有し、
前記表示制御工程は、
前記操作面に対する前記第１の圧力を超える押圧力の検知に応じて前記一覧画面に切り替えた後、前記タッチ検知に工程よりタッチ位置を移動する操作が検知されることなく前記圧力検知工程により押圧力が第２の圧力以下となったことが検知されると、前記一覧画面で表示されていた項目のうちいずれかの項目の内容を表示する内容表示画面に切り替え、
前記操作面に対する前記第１の圧力を超える押圧力の検知に応じて前記一覧画面に切り替えた後、押圧力が前記第２の圧力以下にならずに前記タッチ検知工程によりタッチ位置を移動する操作が検知された場合には、その後は前記圧力検知工程により押圧力が前記第２の圧力以下となったことが検知されても、前記内容表示画面には切り替えないように制御することを特徴とする電子機器の制御方法。
【請求項１８】
コンピュータを、請求項１乃至１６のいずれか１項に記載の電子機器の各手段として機能させるためのプログラム。
【請求項１９】
コンピュータを、請求項１乃至１６のいずれか１項に記載の電子機器の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明に係る電子機器は、操作面に対するタッチ操作を検知するタッチ検知手段と、前記タッチ検知手段によって検知されたタッチ操作に係る前記操作面に対する押圧力を検知する圧力検知手段と、表示手段に内容表示画面として特定の項目の内容を表示している際に、前記圧力検知手段により第１の圧力を超える押圧力が検知されると、前記表示手段の表示を、複数の項目を表示する一覧画面に切り替え、その後、切替前になされたタッチが離されることなく前記タッチ検知手段によってタッチ位置を移動する操作があったことが検知されると、前記一覧画面に表示される複数の項目の少なくとも一部を切り替えるスクロール表示をするように制御する表示制御手段とを有し、前記表示制御手段は、前記操作面に対する前記第１の圧力を超える押圧力の検知に応じて前記一覧画面に切り替えた後、前記タッチ検知手段によりタッチ位置を移動する操作が検知されることなく前記圧力検知手段により押圧力が第２の圧力以下となったことが検知されると、前記一覧画面で表示されていた項目のうちいずれかの項目の内容を表示する内容表示画面に切り替え、前記操作面に対する前記第１の圧力を超える押圧力の検知に応じて前記一覧画面に切り替えた後、押圧力が前記第２の圧力以下にならずに前記タッチ検知手段によりタッチ位置を移動する操作が検知された場合には、その後は前記圧力検知手段により押圧力が前記第２の圧力以下となったことが検知されても、前記内容表示画面には切り替えないように制御することを特徴とする。